(57)【要約】【課題】    フォ−クリフトのフォ−ク８上に載せられている荷物９を、パレット等の予定場所へ積み込むには、積み込む作業者の負担となる過重労働の軽減と、作業時間の短縮と、作業場所の特定なしと、積み込んだ積み荷が移動時に荷崩れし難い安定度の向上が課題。【解決手段】    本願発明の荷物積み込みの補助器具に、フォ−クリフトのフォ−ク８上に有る荷物９を積み込む為、荷物９が柱１に当たって柱１の反発力を受ける方向に、踏み板６上をフォ−クリフトが移動すれば、フォ−ク８が抜き取られる形の動作となって、予定場所に荷物９の積み込みが可能となる場所に、当該荷物９が当たる構造の柱１を具備した事と、フォ−ク差し込み口３、４、５を具備して、フォ−ク差し込み口３だけは奥の出口まで筒状又は溝状とすることで、課題を解決するための手段として、フォ−クリフトの運転操作のみで、荷物の積み込みと積み荷の側面の荷揃えと当該器具２の移動ができる発明となった。【選択図】      図４
2006016205.tif 000002
【特許請求の範囲】
【請求項１】
移動してきたフォ−クリフトのフォ−ク８上に有る荷物９が、柱１に当たる位置の真下が荷物９の積み込み予定場所となっていて、移動する荷物９が柱１に当たって柱１の反発力を受ける、図４の矢印１２方向に、荷物９をフォ−ク８上に載せているフォ−クリフトが移動すれば、フォ−ク８が抜き取られる形の動作となって、予定場所に荷物９の積み込みが可能となる最適な場所に、当該荷物９が当たる構造の柱１を具備した、荷物積み込みの補助器具。
【請求項２】
フォ−ク８を抜き取る時に、当該フォ−クリフトの車輪１０が踏み板６に乗り上っている事で、荷物９が当たる柱１の反発力を確実に保持できる、柱１と構造が一体化された踏み板６を具備した、荷物積み込みの補助器具。
【請求項３】
器具２に、フォ−ク差し込み口３、４、５を具備して、フォ−ク差し込み口３と４に差し込まれたフォ−クのうち、フォ−ク差し込み口４から差し込まれたフォ−クが、奥の差し込み口５に到達しない為に、フォ−クへの荷重分布不均衡が原因で、揚程物の器具２と差し込んだフォ−クとのずれる間が、フォ−ク差し込み口３の断面の空間内に納まるように、差し込んだフォ−クの片方側となるフォ−ク差し込み口３だけは、断面が入り口から奥の出口まで筒状又は溝状にした構造を有する、荷物積み込みの補助器具。
【発明の詳細な説明】
【技術分野】
【０００１】    本発明は、手作業で行なう、荷物の積み込み労力を少なくできる技術を備えた器具に関するものである。
【背景技術】
【０００２】    従来は、パレット等のフォ−クリフトで移動可能な器具に積載されていない荷物を、移動可能なパレット等に積み替える際は、手作業では滑らせる移動しかできない重量のある荷物では、図１のように、適時に高さ調整のできるフォ−クリフトのフォ−ク８を積み荷の近くまで接近させて、手作業で、荷物９を当該フォ−ク８の上に載せて、そのまま次の積み込み予定場所の近くまでフォ−クリフトごと移動して、図２で示すように、荷物９をフォ−ク８の上を矢印１１方向に滑らせながら、主に手作業で、荷物９がその予定場所に積み込まれる事で、作業者が過重労働を負担するという問題点と、積み荷の側面が不揃いになって、当該積み荷の移動時の安定度が低下するという問題点もあった。【０００３】    荷物の積み込み場所が毎回異なるため、作業効率が低下する固定式の荷物積み込みの補助器具は使用できないので、移動式でも、作業中は固定式と同じように作業に支障が出ない、荷物積み込みの補助器具が求められていた。【０００４】    移動式でも通常のフォ−クリフトで簡単に移動できる、荷物積み込みの補助器具が求められていた。
【発明の開示】
【発明が解決しようとする課題】
【０００５】    パレット等のフォ−クリフトで移動可能な器具に積載されていない荷物を、移動可能なパレット等に積み替える際は、手作業では、滑らせる移動しかできない重量のある荷物では、図１のように、適時に高さ調整のできるフォ−クリフトのフォ−ク８を積み荷の近くまで接近させて、手作業で、荷物９をそのフォ−クリフトのフォ−ク８上に載せて、そのまま次の積み込み予定場所の近くまでフォ−クリフトごと移動して、図２のように、荷物９をフォ−ク８の上を矢印１１方向へ滑らせながら、主に手作業で、荷物９をその予定場所に積み込んでいるため、作業者が負担する過重労働の軽減が課題となった。【０００６】    手作業で積み込んだ積み荷は、当て板に添って積み込まない限り、積み荷の側面は凸凹になりやすく、従って、積み荷の安定度は低下するので、積み荷の側面を揃えて、当該積み荷の移動時の安定度を向上させる事も課題となった。【０００７】    荷物の積み込み場所が毎回異なるため、作業効率が低下する固定式の荷物積み込みの補助器具は使用できないので、移動式でも、作業中は固定式と同じように作業に支障が出ない、荷物積み込みの補助器具の提供が課題となった。【０００８】    荷物の積み込み場所が毎回異なるため、通常のフォ−クリフトで簡単に適材適所へ移動できる、荷物積み込みの補助器具の提供が課題となった。
【課題を解決する為の手段】
【０００９】    本願発明は、上記の技術課題を解決するため、本願発明の荷物積み込みの補助器具本体を、積み込み作業の最適な場所に置き、同当該器具２の荷物積み込みの最適な予定場所にパレット等を置き、フォ−クリフトのフォ−ク８上に有る荷物９を、当該器具２に積み込みの目的を果すため、移動する荷物９が柱１に当たって柱１の反発力を受ける図４の矢印１２方向に、荷物９をフォ−ク８上に載せているフォ−クリフトが移動すれば、フォ−ク８が抜き取られる形の動作となって、予定場所に荷物９の積み込みが可能となる、荷物積み込みの補助器具を発明した、詳細は以下である。
【００１０】    本願発明の請求項１では、移動してきたフォ−クリフトのフォ−ク８上に有る荷物９が、柱１に当たる位置の真下が荷物９の積み込み予定場所となっていて、移動する荷物９が柱１に当たって柱１の反発力を受ける図４の矢印１２方向に、荷物９をフォ−ク８上に載せているフォ−クリフトが移動すれば、フォ−ク８が抜き取られる形の動作となって、予定場所に荷物９の積み込みが可能となる最適な場所に、当該荷物９が当たる構造の柱１が具備されていることを特徴とする。
【００１１】    本願発明の請求項１では、移動する荷物９が柱１に当たって柱１の反発力を受ける図４の矢印１２方向に、荷物９をフォ−ク８上に載せているフォ−クリフトが移動すれば、フォ−ク８が抜き取られる形の動作で、荷物９の積み荷は、結果的に柱１に添って揃う形となることを特徴とする。
【００１２】    本願発明の請求項２では、柱１と構造が一体化された踏み板６が具備されいることによって、荷物９を柱１に当てて、フォ−ク８を抜き取る時に、当該フォ−クリフトの車輪１０が踏み板６に乗り上っている事で、荷物９が当たる柱１の反発力を確実に保持できることを特徴とする。
【００１３】    本願発明の請求項３では、器具２に、フォ−ク差し込み口３、４、５を具備して、フォ−ク差し込み口３と４に差し込まれたフォ−クのうち、フォ−ク差し込み口４から差し込まれたフォ−クが、奥の差し込み口５に到達しない為に、フォ−クへの荷重分布不均衡が原因で、揚程物の器具２と差し込んだフォ−クとのずれる間が、フォ−ク差し込み口３の断面の空間内に納まるように、差し込んだフォ−クの片方側となるフォ−ク差し込み口３だけは、断面が入り口から奥の出口まで筒状又は溝状にした構造を特徴とする。
【発明の効果】
【００１４】    本願発明の請求項１によれば、移動してきたフォ−クリフトのフォ−ク８上に有る荷物９が柱１に当たる位置の真下が荷物９の積み込み予定場所となっていて、移動する荷物９が柱１に当たって柱１の反発力を受ける図４の矢印１２方向に、荷物９をフォ−ク８上に載せているフォ−クリフトが移動すれば、フォ−ク８が抜き取られる形の動作となって、予定場所に荷物９の積み込みが可能となる最適な場所に、当該荷物９が当たる構造の柱１が具備された、荷物積み込みの補助器具によって、フォ−クリフトの運転操作のみで荷物の積み込みが完了するので、作業者の過重労働の軽減と、作業時間の短縮が可能となった。
【００１５】    本願発明の請求項１によれば、当該器具２によって、フォ−クリフトの運転操作のみで、積み込まれた荷物の柱１に当る積み荷の側面は、柱１に添って凸凹が少ない面となって、当該積み荷の移動時の安定度向上に役だった。
【００１６】    本願発明の請求項２の、柱１と構造が一体化された踏み板６が具備された当該器具２によって、荷物９を柱１に当てて、フォ−ク８を抜き取る時に、当該フォ−クリフトの車輪１０が踏み板６に乗り上っている事で、フォ−クリフトの運転操作のみで、荷物９が当たる柱１の反発力を確実に固定式並みに保持できた。
【００１７】    本願発明の請求項３の、当該器具２に、フォ−ク差し込み口３、４、５を具備して、フォ−ク差し込み口３と４に差し込まれたフォ−クのうち、フォ−ク差し込み口４から差し込まれたフォ−クが、奥の差し込み口５に到達しない為に、フォ−クへの荷重分布不均衡が原因で、揚程物の当該器具２と差し込んだフォ−クとのずれる間が、フォ−ク差し込み口３の断面の空間内に納まるように、差し込んだフォ−クの片方側となるフォ−ク差し込み口３だけは、断面が入り口から奥の出口まで筒状又は溝状となる構造にしたことで、フォ−クリフトの運転操作のみで、当該器具２を安定して移動ができるようになった。
【発明を実施するための最良の形態】
【００１８】    本願発明の請求項１に係わる発明の実施例として、以下に図面を参照しながら詳細に説明する。【００１９】    本願発明の請求項１の荷物積み込みの補助器具は、図４で示すように、移動してきたフォ−クリフトのフォ−ク８上に有る荷物９が、柱１に当たる位置の真下が荷物９の積み込み予定場所となっていて、移動する荷物９が柱１に当たって柱１の反発力を受ける矢印１２方向に、荷物９をフォ−ク８上に載せているフォ−クリフトが移動すれば、フォ−ク８が抜き取られる形の動作となって、予定場所に荷物９の積み込みが可能となる最適な場所に、当該荷物９が当たる構造の柱１が具備された、最良な形態である。【００２０】    本願発明の請求項１の荷物積み込みの補助器具は、図４で示すように、当該器具２に具備された柱１の反発力作用で、フォ−クリフトの運転操作のみで、積み込んだ荷物が柱１に当る積み荷の側面は、柱１に添って凸凹が少ない面となって、当該積み荷の移動時の安定度向上に役だつ構造を有する、最良な形態である。【００２１】    本願発明の請求項２の荷物積み込みの補助器具は、図４で示すように、柱１と構造が一体化された踏み板６が具備されているため、荷物９を柱１に当てて、フォ−ク８を抜き取る時に、当該フォ−クリフトの車輪１０が踏み板６に乗り上っている事で、フォ−クリフトの運転操作のみで、荷物９が当たる柱１の反発力を確実に保持できる構造を有する、最良な形態である。【００２２】    本願発明の請求項３の荷物積み込みの補助器具は、図８で示すように、当該器具２をフォ−クリフトで移動するために、フォ−ク差し込み口３、４、５を具備して、フォ−ク差し込み口３だけは、入り口から奥の出口まで筒状又は溝状にしてあるため、フォ−ク差し込み口３、４に差し込まれたフォ−クのうち、フォ−ク差し込み口４から差し込まれたフォ−クが、奥の差し込み口５に到達しなくても、当該器具２を、フォ−クリフトの運転操作のみで、安定して移動ができるようにした構造を有する、最良な形態である。
【図面の簡単な説明】
【００２３】
【図１】    従来技術の、積み荷の荷物９を、手作業でフォ−クの上に載せる状況の側面図。
【図２】    従来技術の、フォ−ク８上の荷物９を、積み替え場所に積み込む状況の側面図。
【図３】    荷物９を載せた、フォ−ク８を抜き取る直前の、荷物積み込みの補助器具の正面図。
【図４】    荷物９を載せた、フォ−ク８を抜き取る直前の、フォ−クリフトの車輪１０が踏み板６に乗り上がっている状況を示した、荷物積み込みの補助器具の側面図。
【図５】    荷物積み込みの補助器具の正面図。
【図６】    荷物積み込みの補助器具の側面図。
【図７】    荷物９の積み込み予定場所にパレットが据え置かれた状態を示す、荷物積み込みの補助器具の斜視図。
【図８】    フォ−クリフトのフォ−ク８が、差し込み口５に到達しない状態で、当該器具２をすくい上げても、フォ−クが筒状の差し込み口３に挿入されていることで当該器具２の安定移動が可能な状況を示す、荷物積み込みの補助器具の斜視図。
【図９】    本発明の実施の一形態示すもので、入り口から奥の出口まで筒状のフォ−ク差し込み口３に、フォ−ク８が差し込まれている態様を示した、図６のＸ−Ｘ線矢視の断面図。
【図１０】    本発明の実施の一形態示すもので、フォ−ク差し込み口４から差し込まれたフォ−クが、奥の差し込み口５に到達していない態様を示した、図６のＹ−Ｙ線矢視の断面図。
【符号の説明】
【００２４】１    荷物９が当たる柱。
２    荷物積み込みの補助器具。
３    入り口から奥の出口まで筒状又は溝状の３番フォ−ク差し込み口。
４    ４番フォ−ク差し込み口。
５    ５番フォ−ク差し込み口。
６    踏み板。
７    パレット。
８    フォ−クリフトのフォ−ク。
９    荷物。
１０  フォ−クリフトの車輪。
１１  図２矢印。
１２  図４矢印。
【図１】
2006016205.tif 000003
【図２】
2006016205.tif 000004
【図３】
2006016205.tif 000005
【図４】
2006016205.tif 000006
【図５】
2006016205.tif 000007
【図６】
2006016205.tif 000008
【図７】
2006016205.tif 000009
【図８】
2006016205.tif 000010
【図９】
2006016205.tif 000011
【図１０】
2006016205.tif 000012